(57)【要約】【課題】効果的に圧縮機を冷却することにより、連続運転を可能にした空気調和機を提供することを目的としている。【解決手段】本体内を仕切板１１により熱交換室１２と機械室１３とに区画し、前記熱交換室に凝縮器２と、同凝縮器に外気を通風する送風機１４とを配設し、前記機械室に圧縮機１を配設してなる空気調和機の室外機において、前記機械室に蒸発器６と、同蒸発器により冷却された冷気を前記圧縮機に送風する送風機８とを設けてなる空気調和機の室外機としている。また、前記圧縮機に、同圧縮機の温度を検出する温度検出器としてのサーミスタ１５を設け、同サーミスタにより検出された温度が一定温度以上になったら前記蒸発器６に冷媒を流通すると共に、前記送風機８を運転するようにした。【選択図】  図１
2004184047.tif 000002
【特許請求の範囲】
【請求項１】
本体内を仕切板により熱交換室と機械室とに区画し、前記熱交換室に凝縮器と、同凝縮器に外気を通風する送風機とを配設し、前記機械室に圧縮機を配設してなる空気調和機の室外機において、
前記機械室に蒸発器と、同蒸発器により冷却された冷気を前記圧縮機に送風する送風機とを設けてなることを特徴とする空気調和機の室外機。
【請求項２】
前記圧縮機に、同圧縮機の温度を検出する温度検出器を設け、同温度検出器により検出された温度が一定温度以上になったら前記蒸発器に冷媒を流通すると共に、前記送風機を運転するようにしてなることを特徴とする請求項１記載の空気調和機の室外機。
【発明の詳細な説明】
【０００１】
【発明の属する技術分野】
本発明は、室内の空気を調和する空気調和機の室外機に係わり、とくに圧縮機の温度上昇防止に関する。
【０００２】
【従来の技術】
従来の空気調和機は、図５に示すように、圧縮機１、凝縮器（室外熱交換器）２、減圧装置３、蒸発器（室内熱交換器）４とからなる冷凍サイクルを備えており、前記圧縮機１、凝縮器（室外熱交換器）２、減圧装置３を室外機１０に内臓し、また前記蒸発器（室内熱交換器）４を室内機２０に内臓している。
そして、前記圧縮機１で圧縮された高圧高温冷媒を前記凝縮器（室外熱交換器）２にて外気と熱交換することにより凝縮させ、前記減圧装置３にて減圧して前記蒸発器（室内熱交換器）４にて室内空気と熱交換して蒸発させることにより、室内空気を冷すようになっている。
ところで、前記圧縮機１は、図４に示すように、室外機１０の本体内を仕切板１１により区画された一方の機械室１３に設置され、前記凝縮器（室外熱交換器）２は他方の熱交換室１２に、同凝縮器（室外熱交換器）２に外気を送風する送風機１４と共に設置されている。
前記圧縮機１は冷媒ガスを圧縮して循環させるとともに、圧縮することにより発熱し、圧縮機１のシェルや内臓される図示しない電動機の巻線温度を上昇させることになる。
そこで、前記機械室１３には外気が導入され、前記圧縮機１を冷やすようにしているが、外気温度が高い場合は、圧縮機１のシェル温度の限界（例えば１００℃）または、電動機の巻線温度の限界（例えば１３０℃）を超え、故障の原因となりかねない。
そこで、特許文献１に示すように、圧縮機１５の表面に接する状態で、蒸発器１１にて結露した水分を貯留する冷却管１６を螺旋状に配設し、圧縮機１５を冷却している（例えば、特許文献１参照。）。
しかし、この構成では、室内が乾燥し、蒸発器１１にて結露する水分が少ない場合は冷却管１６に冷水が流れないため、圧縮機１５を冷却できないという問題がある。
【０００３】
【特許文献１】
特開２００２−１９５６０２号公報（第２−４頁、第２図）
【０００４】
【発明が解決しようとする課題】
本発明は以上述べた問題点を解決し、効果的に圧縮機を冷却することにより、連続運転を可能にした空気調和機の室外機を提供することを目的としている。
【０００５】
【課題を解決するための手段】
本発明は上述の課題を解決するため、本体内を仕切板により熱交換室と機械室とに区画し、前記熱交換室に凝縮器と、同凝縮器に外気を通風する送風機とを配設し、前記機械室に圧縮機を配設してなる空気調和機の室外機において、
前記機械室に蒸発器と、同蒸発器により冷却された冷気を前記圧縮機に送風する送風機とを設けてなる空気調和機の室外機としている。
【０００６】
前記圧縮機に、同圧縮機の温度を検出する温度検出器を設け、同温度検出器により検出された温度が一定温度以上になったら前記蒸発器に冷媒を流通すると共に、前記送風機を運転するようにしてなる空気調和機の室外機としている。
【０００７】
【発明の実施の形態】
以下、図面に基づいて本発明による空気調和機の室外機を詳細に説明する。
図１は本発明による空気調和機の室外機の一実施例を示す要部斜視図、図２は同室外機を使用した冷凍サイクルを示す冷媒回路図である。
図１に示すように、室外機本体１０の内部を仕切板１１により熱交換室１２と機械室１３とに区画し、熱交換室１２に凝縮器（室外熱交換器）２と、同凝縮器（室外熱交換器）２に外気を流通する送風機１４と図２には図示しない減圧装置（３）を配設し、機械室１３に前記圧縮機１と、前記減圧装置（３）から分流した冷媒の流量を制限する図２には図示しない膨張弁（５）と蒸発器６を直列接続したバイパス回路（７）と、前記蒸発器６に外気を通風し、同冷却された冷気を前記圧縮機１に送風する送風機８を配設するようにしている。
前記室外機本体１０の図示しない手掛には外気を導入する吸気口が設けられ、また、前記仕切板１１には前記圧縮機１に送風して暖められた空気を排出する排気口１１ａが設けられている。
また、前記圧縮機１には同圧縮機１のシェル温度を検出する温度検出器としてのサーミスタ１５を備えている。
【０００８】
前記室外機１０を使用した空気調和機は、図２に示すように、圧縮機１、凝縮器（室外熱交換器）２、減圧装置３、蒸発器（室内熱交換器）４とからなる冷凍サイクルを備えている。
そして、前記圧縮機１で圧縮された高圧高温冷媒を前記凝縮器（室外熱交換器）２にて外気と熱交換することにより凝縮させ、前記減圧装置３にて減圧して前記蒸発器（室内熱交換器）４にて室内空気と熱交換して蒸発させることにより、室内空気を冷すようになっている。
また、前記減圧装置３と前記蒸発器（室内熱交換器）４との間と、前記蒸発器（室内熱交換器）４と前記圧縮機１との間に、膨張弁５と蒸発器６を直列接続したバイパス回路７を設けている。
そして、図１にも示したように、前記蒸発器６と前記圧縮機１との間に送風機８を設け、同送風機８の吸い込んだ外気を前記蒸発器６で冷却して前記圧縮機１に送風することにより、圧縮機１を冷却できるようになっている。
【０００９】
また、前記蒸発器（室内熱交換器）４は図２に示すように室内機２０に配設されている。
【００１０】
以上の構成において、つぎにその動作を説明する。
図３は本発明による空気調和機の室外機の動作を説明するためのフローチャートである。
冷房運転が開始されると、サーミスタ１５の検出する温度（Ｔｓ）が一定の温度（Ｔｈ＝例えば限界温度１００℃を超えない９０℃）と比較され（ＳＴ１）、一定の温度（Ｔｈ）以下の場合は、前記膨張弁５は全閉するとともに送風機８は停止し（ＳＴ２）、前記圧縮機１の回転数を調節することにより、室内温度が設定温度となるように制御される。
ＳＴ１において、前記サーミスタ１５の検出する温度が一定の温度（Ｔｈ）以上となると、前記膨張弁５を所定の開度まで開放するとともに、送風機８を運転し（ＳＴ３）て強制的に外気を取り込んで前記蒸発器６に通風して冷やした冷風を前記圧縮機１に送風して効果的に圧縮機１を冷却するようにしている。
これにより、圧縮機を連続運転しても、圧縮機のシェルの温度が限界温度１００℃を超えない９０℃以下の温度に保つことができ、圧縮機の熱による破損を防止し、信頼性の高い空気調和機の室外機を提供することができる。
【００１１】
上記実施例では、サーミスタ１５により圧縮機１のシェル温度を検出したが、できれば圧縮機１内の電動機巻線温度を検出して同様の制御を行うようにしてもよいことは記するまでもなく理解できよう。
【００１２】
【発明の効果】
以上説明したように、本発明による空気調和機の室外機によれば、圧縮機の温度が一定温度以上となると膨張弁を所定の開度まで開放するとともに、送風機を運転して強制的に外気を取り込んで前記蒸発器に通風して冷やした冷風を通風して効果的に圧縮機を冷却することができるので、圧縮機のシェル温度または電動機巻線温度の限界温度を超えることがなく、高外気温度時であっても連続運転することができる、信頼性の高い空気調和機の室外機を提供することができる。
【図面の簡単な説明】
【図１】本発明による空気調和機の室外機の一実施例の室外機を示す要部斜視図である。
【図２】本発明による空気調和機の室外機の一実施例を示す冷媒回路図である。
【図３】本発明による空気調和機の室外機の一実施例の動作を説明するためのフローチャートである。
【図４】従来の空気調和機の室外機の室外機を示す要部斜視図である。
【図５】従来の空気調和機の室外機を示す冷媒回路図である。
【符号の説明】
１  圧縮機
２  凝縮器（室外熱交換器）
３  減圧装置
４  蒸発器（室内熱交換器）
５  膨張弁
６  蒸発器
７  バイパス回路
８  送風機
１０  室外機
１１  仕切板
１１ａ  排気口
１２  熱交換室
１３  機械室
１４  送風機
１５  サーミスタ
２０  室内機
【図１】
2004184047.tif 000003
【図２】
2004184047.tif 000004
【図３】
2004184047.tif 000005
【図４】
2004184047.tif 000006
【図５】
2004184047.tif 000007